(57)【要約】【課題】コンクリートの収縮時にコンクリートと目地部材の間に隙間を生じることなく、施工も容易な誘発目地部材及び誘発目地構造を提供することを目的とする。【解決手段】  コンクリートのひび割れ誘発目地構造であって、コンクリート２内に、先端部１ａと本体部１ｂを有する弾性部材で構成された目地部材１が先端部１ａを変形した状態で設置されており、コンクリート２ひび割れ時に、前記先端部１ａが弾性による復元力により、誘発目地の拡開に追従して拡がることを特徴とする誘発目地構造によって解決される。【選択図】    図１
2008303594.tif 000002
【特許請求の範囲】
【請求項１】
コンクリート構造物に誘発目地を形成するための目地部材であって、
コンクリート誘発目地部に埋設される本体部と、コンクリート表面上に露出される先端部とを有し、
前記本体部及び先端部は弾性部材からなり、
該先端部は、弾性による復元力により、コンクリートのひび割れ時に誘発目地の拡開に追従して拡がることを特徴とする目地部材。
【請求項２】
コンクリートのひび割れ誘発目地構造であって、
コンクリート内に、本体部と先端部を有する弾性部材で構成された目地部材が該先端部を変形した状態で埋設されており、
コンクリートひび割れ時に、前記先端部が弾性による復元力により、誘発目地の拡開に追従して拡がることを特徴とする誘発目地構造。
【発明の詳細な説明】
【技術分野】
【０００１】
本発明は、コンクリートのひび割れ誘発目地部材及び誘発目地構造に関する。
【背景技術】
【０００２】
鉄筋コンクリート構造物にひび割れが発生することがあるが、特に、打設したコンクリートが硬化する際にひ  び割れが発生する。このようなひび割れから水が内部に浸入すると、構造用鉄筋が腐食して、コンクリート構造物の機能及び耐久性の低下を引き起こすこととなる。このため、コンクリートのひび割れに対する対策として、誘発目地を設ける方法がある。この方法は、ひび割れをコンクリート構造物の特定の箇所に誘導して発生させるとともに、当該箇所の内部にゴム等の止水部材を配置することで、ひび割れの発生を許容しつつ、止水効果も高めるものである。
【０００３】
従来ひび割れを誘導するためには、例えば、構造用鉄筋を包含するように打設したコンクリート構造物の表面側に化粧目地部（溝部）を設けるとともに、該溝部に当接するように誘発目地部材を設置するコンクリートの目地構造が実施されている。
【０００４】
しかし、上記誘発目地構造では、コンクリートの収縮時に誘発目地部材が追従せず、コンクリートの表面部と誘発目地部材の間に隙間が発生し、十分な止水効果が得られず、構造物の耐久性が低下するとともに、見栄えもよくない。
【０００５】
上記課題を解決するために、目地部材とコンクリートの表面部の間にゴム層を介設し、コンクリートの収縮時にゴム層とコンクリートがイオン結合により密着し、隙間が生じるのを防ぐことのできる誘発目地材及び誘発目地構造が開示されている。
【特許文献１】特開２００４−３４６５５９号公報
【発明の開示】
【発明が解決しようとする課題】
【０００６】
しかし、上記の誘発目地構造では、ゴム層を形成した後、目地部材を設置する必要があるため、施工に手間がかかるという問題がある。
【０００７】
本発明は、上記の問題点に鑑み、コンクリートの収縮時にコンクリートと目地部材の間に隙間を生じることなく、施工も容易な誘発目地部材及び誘発目地構造を提供することを目的とする。
【課題を解決するための手段】
【０００８】
上記の課題は、コンクリート構造物に誘発目地を形成するための目地部材であって、コンクリート誘発目地部に埋設される本体部と、コンクリート表面上に露出される先端部とを有し、前記本体部及び先端部は弾性部材からなり、該先端部は、弾性による復元力により、コンクリートのひび割れ時に誘発目地の拡開に追従して拡がることを特徴とする目地部材により解決される。
【０００９】
また、コンクリートのひび割れ誘発目地構造であって、コンクリート内に、本体部と先端部を有する弾性部材で構成された目地部材が該先端部を変形した状態で埋設されており、コンクリートひび割れ時に、前記先端部が弾性による復元力により、誘発目地の拡開に追従して拡がることを特徴とする誘発目地構造により解決される。
【００１０】
なお、ここでいう先端部とは、コンクリートの表面上に露出する部分であって、目地部材をコンクリート打設用型枠に設置した際に、目地部材とコンクリート打設用型枠とが当接する部分をいう。
【００１１】
この誘発目地構造では、コンクリート内に、本体部と先端部を有する弾性部材で構成された目地部材が先端部を変形した状態で埋設されており、コンクリートひび割れ時に、前記先端部が弾性による復元力により、誘発目地の拡開に追従して拡がるようになされているので、コンクリートの収縮によりひび割れが生じたときに、目地部材とコンクリートの間に隙間が生じることを防ぐことができる。
【００１２】
また、前記目地部材の先端部を変形させてコンクリート内に埋設するだけでよいので、施工も容易に行うことができる。
【発明の効果】
【００１３】
本発明は以上のとおりであるから、コンクリートと目地部材の間に隙間を生じさせることなく、また、施工も容易に行うことができる。
【発明を実施するための最良の形態】
【００１４】
次に、本発明の実施最良形態を図面に基づいて説明する。
【００１５】
図１〜図３に示す、実施形態の誘発目地部材及び誘発目地構造は、１が弾性部材からなる目地部材、１ａが目地部材の先端部、１ｂが目地部材の本体部、２がコンクリート、３がコンクリート打設用型枠、４がコンクリート型枠内に目地部材を設置するための目地設置部である。前記目地部材１は、同一断面からなる長尺物であり、断面視略Ｃ型の本体部１ｂのそれぞれの端部に断面視直線の先端部１ａが本体部１ｂの内側から外側に向けて開く方向に傾斜をつけておよそ中央で接続され、断面視略ハの字型になるようになされている。
また、目地設置部４は、コンクリート打設用型枠の内面に突出した突出部からなり、目地部材１が先端部１ａを変形状態で嵌合保持することができる。
なお、弾性部材とは、言葉の意のごとく、ゴム等の弾性力を持つ部材である。
【００１６】
本目地部材の施工方法及び本誘発目地構造の動作状況について図３（イ）〜（ニ）を用いて説明する。図３（イ）〜（ロ）は、コンクリート打設用型枠内に目地部材１を目地設置部４に嵌合保持させる状態を示す図であり、図３（ロ）に示すように目地部材１が、先端部１ａを内側に変形させた状態で、コンクリート打設型枠内３の目地設置部４に当接するように設置する。その後コンクリート２を打設し、コンクリート養生期間終了後、コンクリート打設型枠３を脱型する（図３（ハ））。
【００１７】
コンクリート打設型枠３脱型後コンクリート２が乾燥収縮により、所定の箇所にひび割れが生じることにより、コンクリート２と目地部材１に隙間ができる。しかし、予め目地部材１の先端部１ａを内側に変形させた状態で、コンクリート目地設置部４に当接するように設置しているので、図３（ニ）に示すように、先端部１ａに元の形状である断面視略ハの字型に戻ろうとする復元力が生じることにより、先端部１ａが拡がるので、先端部１ａとコンクリート２の隙間を防ぐことができる。
【００１８】
上記のような構造であるので、先端部１ａとコンクリート２の隙間を防ぐことができ、十分な止水効果が得られると共に見栄えもよい。
【００１９】
以上に、本発明の実施形態を示したが、本発明はこれに限られるものではなく、発明思想を逸脱しない範囲で各種の変更が可能である。例えば、先端部が断面視略ハの字型であると示したが、変形による弾性部材の復元力を発揮でき、コンクリートの収縮に追従できる形状であればなんでもよい。
【図面の簡単な説明】
【００２０】
【図１】本発明の実施形態を示す斜視図である。
【図２】本発明の実施形態の目地部材の断面正面図である。
【図３】本発明の実施形態の施工手順を示した断面正面図である。
【符号の説明】
【００２１】
１・・・目地部材
１ａ・・・先端部
１ｂ・・・本体部
２・・・コンクリート
３・・・コンクリート打設型枠
４・・・目地設置部
【図１】
2008303594.tif 000003
【図２】
2008303594.tif 000004
【図３】
2008303594.tif 000005